(57)【要約】【課題】泡の噴出パターンを、噴射ノズル内に残留した内容物に触れることなく切換、変更する。【解決手段】フォーマーディスペンサーの噴射筒を通して圧送された内容物を外部に向けて噴出させる噴射ノズルを、前記噴射筒の先端に装着され該噴射筒の通路につながる開孔を有するノズル本体と、ノズル本体に揺動可能に保持されその開放端に合わさる閉姿勢にて該開孔より噴出させた内容物を泡状にして外部に排出するノズルチップとに構成し、該ノズルチップの下端部を除く領域に把持部を設ける。【選択図】        図１
2004290767.tif 000002
【特許請求の範囲】
【請求項１】
フォーマーディスペンサーの噴射筒を通して圧送された内容物を外部に向けて噴出させる噴射ノズルであって、
前記噴射筒の先端に装着され該噴射筒の通路につながる開孔を有するノズル本体と、ノズル本体に揺動可能に保持されその開放端に合わさる閉姿勢にて該開孔より噴出させた内容物を泡状にして外部に排出するノズルチップからなり、
該ノズルチップの下端部を除く領域に把持部を設けたことを特徴とするフォーマーディスペンサー用噴射ノズル。
【請求項２】
ノズルチップは、ノズル本体の開放端に沿って揺動するものである、請求項１記載のフォーマーディスペンサー用噴射ノズル。
【請求項３】
ノズルチップは、ノズル本体の開孔端から離反する向きに揺動するものである、請求項１記載のフォーマーディスペンサー用噴射ノズル。
【請求項４】
ノズルチップの揺動が、枢軸又はヒンジによるものである、請求項１〜３の何れかに記載のフォーマーディスペンサー用噴射ノズル。
【発明の詳細な説明】
【０００１】
【発明の属する技術分野】
本発明は、ポンプ機構によって容器内の内容物を吸引、加圧して該内容物を泡状にして噴出させるフォーマーディスペンサーに用いて好適な噴射ノズルに関し、泡の噴出パターンを、噴射ノズル内に残留した内容物に触れることなしに切換、変更しようとするものである。
【０００２】
【従来の技術】
黴び取り剤や漂白剤、洗顔剤、整髪剤等の内容物を泡状にして噴出させるフォーマーディスペンサーは、噴射ノズルの先端開口に、ノズル本体の開孔から噴出させた内容物をその出側直近に配置した障壁に衝突させて泡状にする造泡用のノズルチップが取り付けられており、泡の噴出パターン（泡立ち状態）は、該ノズルチップを先端開口から外して開状態とするか先端開口に合致させて閉状態にとすることによって切り換えるようになっている（例えば、特許文献１参照）。
【０００３】
【特許文献１】
特開平９−２８５７４６号公報
【０００４】
ところで、フォーマーディスペンサーに装着される従来の噴射ノズルは、ノズルチップを開閉する際に把持する把持部が該チップの下端部に設けられており、泡のパターンを変更すべく、該把持部をもってノズルチップを開閉する場合に、噴射ノズル先端やその内部に残留した内容物が先端開口から流れ出て手に付着する可能性があるという不具合が存在していた。
【０００５】
【発明が解決しようとする課題】
本発明の課題は、残留内容物に触れることなしに泡の噴射パターンを切換、変更できる新規なフォーマーディスペンサー用の噴射ノズルを提案するところにある。
【０００６】
【課題を解決するための手段】
本発明は、フォーマーディスペンサーの噴射筒を通して圧送された内容物を外部に向けて噴出させる噴射ノズルであって、
前記噴射筒の先端に装着され該噴射筒の通路につながる開孔を有するノズル本体と、ノズル本体に揺動可能に保持されその開放端に合わさる閉姿勢にて該開孔より噴出させた内容物を泡状にして外部に排出するノズルチップからなり、該ノズルチップの下端部を除く領域に把持部を設けたことを特徴とするフォーマーディスペンサー用噴射ノズルである。
【０００７】
ノズルチップは、ノズル本体の開放端に沿って揺動するか、あるいは、ノズル本体の先端面に離反する向きに揺動するものが望ましい。
【０００８】
また、ノズルチップは、枢軸又はヒンジによって揺動させるのがよい。
【０００９】
【発明の実施の形態】
以下、図面を用いて本発明をより具体的に説明する。
図１、２は本発明に従う噴射ノズルの実施の形態を示したものであり、図１はノズルチップをノズル本体の開放端に合致させた閉姿勢としてクリーミーな泡を噴出させることができる状態を、図２はノズルチップをノズル本体の開放端から外した開姿勢として比較的粗い泡あるいは霧状にして噴出させることができる状態をそれぞれ示したものである。
【００１０】
図１、２において１はフォーマーディスペンサーの噴射筒（図示せず）の先端に装着されるノズル本体であり、このノズル本体１は図２に示す如く噴射筒の通路につながる開孔１ａを有している。
【００１１】
また、２はノズル本体１にて枢支ピンＰを介して揺動可能に保持されるノズルチップである。ノズルチップ２は開孔１ａより噴出した内容物を衝突させて発泡させる障壁２ａを有しており、ノズル本体１の開放端に合わさる図１のような閉姿勢で内容物を泡状にして外部に排出することができるようになっている。
【００１２】
また、３はノズルチップ２と一体的に設けられ該ノズルチップ２の閉姿勢でその側壁から横方向に突出する把持部であり、この把持部３は閉姿勢でノズル本体１側より延出するストッパー部材（一部のみ図示）の切り欠き部に合致する形状となっている。
【００１３】
本発明に従う噴射ノズルは、泡の噴出パターンを切換、変更するに際してノズルチップ２の側壁から突出する把持部３をつかんで該ノズルチップ２を開姿勢、閉姿勢にすることができるので、噴射ノズル先端やその内部に残留した内容物が手に付着することはない。
【００１４】
図３はノズルチップ２の側壁の上部に把持部３を設けて枢支ピンＰを支点にして下側に押し下げる揺動を導くことで該ノズルチップ２を開姿勢にして内容物の噴出パターンを切換、変更する他の実施の形態を示したものであり、図４は上掲図１と同様、ノズルチップ２の側壁の横方向に把持部３を設けて枢支ピンＰを支点にノズル本体１の開放端から離反させるべく上方に揺動させることで該ノズルチップ２を開姿勢にして内容物の噴出パターンを切換、変更するさらに他の実施の形態を示したものである。
【００１５】
図３、図４に示したものも、把持部３はノズルチップ２の下端部を除く領域に設けられており、噴出パターンの切換、変更に指して残留内容物が手に触れることはない。
【００１６】
ノズルチップ２は図１、図３に示すようにノズル本体１の開放端に沿って揺動させるタイプとするか、図４に示したようにノズル本体１の開放端から離反する向きに揺動させるタイプとするかは、ノズル本体１のサイズや形状によって適宜に選択される。
【００１７】
ノズルチップ２及びノズル本体１の何れか一方に凸部を設け、もう一方に該凸部に係合する凹部あるいは乗越え可能な第二凸部を設けてノズルチップ２が開姿勢あるいは閉姿勢にある時に凸部を凹部に係合させるか第二凸部を乗越えさせて、ノズルチップ２をノズル本体１に固定して位置決めすることでノズルチップ２の不用意な揺動を抑制するようにしてもよく、あるいは図示はしないがノズル本体に結合してもよく、この点についてはとくに限定されない。
【００１８】
なお、上掲図１〜４に示した何れの実施の形態においても、内容物を発泡させるためには開孔１ａと障壁２ａとの間で外部より空気を取り入れ開孔１ａより噴出した内容物と空気を混合することが不可欠であり、そのために図５に示すようにノズルチップ２の前面に障壁２ａの周囲を取り囲み開孔１ａと障壁２ａの相互間に通じる通路を有する空気導入部４を設けるか、あるいは図６（ａ）（ｂ）において噴射ノズルの側面及びＡ−Ａ断面を示す如くノズル本体１の側壁に開孔１ａと障壁２ａの相互間に繋がる通路を有する空気導入部４を設ける必要があるが、どのタイプを選択するかは、ノズル本体１のサイズや形状によって適宜に変更される。
【００１９】
また、泡を生成させるための障壁２ａの形状も図１〜４に示したところの形状の他、図５に示す形状やその他公知の形状のものを適用することができ、噴出させる内容物の粘度や他の特性、使用形態に適した噴出パターンに合わせて適宜に選択すればよい。
【００２０】
ディスペンサーは、操作レバーを牽曳して内容物を噴射させるトリガータイプのものや押圧ヘッドを押し込むことで内容物を噴射させるプライミングタイプのものが適用される。
【００２１】
【発明の効果】
本発明によれば、噴射ノズル内に内容物が残留していてもそれに触れることなしに噴出パターンを切換、変更することができ、とくに、内容物として黴び取り剤や漂白剤等が充填されている容器において使い勝手が改善される。
【図面の簡単な説明】
【図１】本発明に従う噴射ノズルの実施の形態を示した図である。
【図２】図１に示した噴射ノズルにおいてノズルチップを開姿勢に保持した状態を示した図である。
【図３】本発明に従う噴射ノズルの他の実施の形態を示した図である。
【図４】本発明に従う噴射ノズルの他の実施の形態を示した図である。
【図５】本発明に従う噴射ノズルの泡生成部位正面を示した図である。
【図６】（ａ）は噴射ノズル本体の側面を示した図であり、（ｂ）は（ａ）のＡ−Ａ断面を示した図である。
【符号の説明】
１  ノズル本体
１ａ  開孔
２  ノズルチップ
２ａ  障壁
３  把持部
４  空気導入部
Ｐ  枢支ピン
【図１】
2004290767.tif 000003
【図２】
2004290767.tif 000004
【図３】
2004290767.tif 000005
【図４】
2004290767.tif 000006
【図５】
2004290767.tif 000007
【図６】
2004290767.tif 000008